【手続補正書】
【提出日】平成22年9月1日(2010.9.1)
【手続補正１】
【補正対象書類名】明細書
【補正対象項目名】００１０
【補正方法】変更
【補正の内容】
【００１０】
かかる構成のバインダー綴具において、リングを閉鎖状態から開放するには、まず可動リングの先端を両鈎状係合手段が互いにはずれる方向に指で押す。例えば図１のように一対の固定リングの鈎状係合手段を綴具の軸線方向外側に設け、一対の可動リングの鈎状係合手段を綴具の軸線方向内側に設け、両可動リングを相互の方向に押して両者の鈎状係合手段を外す。
先カムは第１係止部から第１反力を受けているので、可動リングは自動的に第１開放状態となり、後カムが第２係止部に接触する位置までの第１開放状態に維持する。
可動リングを第１開放状態から開放方向に第２開放状態にもたらすには、可動リングを開放方向にさらに押す。この押圧力が第２反力を越えれば後カムが第２係止部を越えて第２開放状態に移動する。
【手続補正２】
【補正対象書類名】明細書
【補正対象項目名】００１１
【補正方法】変更
【補正の内容】
【００１１】
一方、リングを閉鎖したい場合には、第１開放状態から可動リングを固定リングに対して閉鎖するように可動リングを指で押すと、先カムが第１係止部に係合し、それによる第１反力に抗して可動リングを固定リングへ押しつけてそれらの鈎状係合手段３２を互いに係止させる。この閉鎖状態では第１反力が作用しているので係止力は強化されリングの先端部にがたつきが無く、またある程度までの外力では係止状態は維持される。
他方、第２開放状態からの第１開放状態への閉鎖では、可動リングを固定リングの方へ指で押すと、後カムが第２係止部に係合し、それによる反力（第２反力と同一であるとは限らない）に抗してさらに押すと後カムが第２係止部を乗り越えて可動リングは第１開放状態になる。
【手続補正３】
【補正対象書類名】明細書
【補正対象項目名】００１３
【補正方法】変更
【補正の内容】
【００１３】
他の実施形態では、基体が、支軸受け溝２０内で支軸２２の下側へ向けて突設した少なくとも一つの支軸脱落防止突起４８、１４８を具備している。これは支軸の回転角度に依存しないで常時支軸を支えておくためである。支軸脱落防止突起は成形時に一体成形する必要があるので、支軸の無理ばめ可能な程度に軸受部の箇所及び／又は両大径部の軸線方向内側に成形する。
【手続補正４】
【補正対象書類名】明細書
【補正対象項目名】００１５
【補正方法】変更
【補正の内容】
【００１５】
他の実施形態では、第１係止部１４０及び第２係止部１４２が、前記溝２０の内側に設けた補強リブ４６の面に形成され、該補強リブ４６の内側段部が第１係止部１４０を構成し、該補強リブ４６の前記段部の前記溝２０側の縁端から下へ延びる内面部分が第２係止部１４２を構成する（図８〜図１１に関して後述）。
【手続補正５】
【補正対象書類名】明細書
【補正対象項目名】００２７
【補正方法】変更
【補正の内容】
【００２７】
第１反力は、閉リング状態の可動リング３０を開放方向に弱く引っ張る力として作用して、係合手段３２（鈎と鈎孔とよりなる）の係合状態を強める方向に作用するので、各リング要素はより強く相互係止するようになり、がたつかずまた閉リング状態である程度の外力が加わっても安定に閉リング状態を維持できる。
一方、可動リング３０は、実施例１と同様に、可動リング３０、３０を親指と人差し指とで相互方向に同時に押すなどして可動リング側の係合手段３２を固定リング側の係合手段３２から外すと直ぐに、前記第１反力によって弾発的に且つ自動的に開放し、先カム３４が第１係止部４０と接触する位置と、後カム３６が側壁部分４４の内面、即ち第２係止部４２と接触する位置との間の図８に示すような第１開放状態で停止する。この状態では固定リング１４と可動リング３０との間がルーズリーフを挿脱できる程度に小さく開放されている。その後、可動リング３０を更に開放させると、後カム１３６が支軸２２と共に廻動して図１０に矢印ＬＬ’で示す方向に所定距離ｌｌ’において支軸２２を撓ませる状態で第２係止部１４２上を摺動し、この撓みによる第２反力を伴いつつ第２係止部１４２を押圧する。この間、第２反力は可動リング３０を閉鎖する方向に回転させるバネ力として作用するので、可動リング３０は手を離すと直ちに図８に示す状態まで自動復帰する。
【手続補正６】
【補正対象書類名】明細書
【補正対象項目名】００３５
【補正方法】変更
【補正の内容】
【００３５】
先カム１０４は、可動リング３０と固定リング１４とを相互に係合させる際、図１７に示すような閉鎖直前の位置では第１係止部１０８に接触する。この状態から指で可動リング３０を更に閉鎖方向に廻動させて各先端部の係合手段３２どうしを相互に係合させて図１５、図１７の閉リング状態とする時、無理に回転しようとする支軸２２が前カム１０４を介して第１係止部１０８に接触力を加え、第１反力を伴いつつ捻れる。
第１反力は、閉リング状態の可動リング３０を開放方向に弱く引っ張る力として作用して、係合手段３２（鈎と鈎孔とよりなる）の係合状態を強める方向に作用するので、各リング要素はより強く相互係止するようになり、がたつかずまた閉リング状態である程度の外力が加わっても安定に閉リング状態を維持できる。
一方、可動リング３０は、図１の実施例と同様に、矢印方向に可動リング３０、３０を指で同時に撓み寄せて係合手段３２を外すと直ぐに、前記第１反力によって弾発的に且つ自動的に開放し、先カム１０４が第１係止部１０８と接触する位置と、後カム１０２が第２係止部１０６と接触する位置との間の第１開放状態で停止する（図１９参照）。この状態では固定リング１４と可動リング３０との間がルーズリーフを挿脱できる程度に小さく開放されている。
その後、可動リング３０を指で更に開放させると、後カム１０２が支軸２２と共に廻動して、図２０に矢印Ｌ１で示す方向に所定距離ｌｌだけ支軸２２を撓ませつつ第２係止部１０６上を摺動し、この撓みによる反力（以下、第２反力）を伴いつつ第２係止部１０６を押圧する。この間、第２反力は可動リング３０を閉鎖する方向に回転させるバネ力として作用するので、第２リング要素は手を離すと直ちに図１７や図１８に示す状態まで自動的に復帰する。
【手続補正７】
【補正対象書類名】明細書
【補正対象項目名】００３７
【補正方法】変更
【補正の内容】
【００３７】
上記の実施例１〜３の動作を総括すると、次の通りである。
リングを閉鎖状態から開放するには、まず可動リングの先端を両鈎状係合手段が互いにはずれる方向に指で押す。例えば図１のように一対の固定リングの鈎状係合手段を綴具の軸線方向外側に設け、一対の可動リングの鈎状係合手段を綴具の軸線方向内側に設け、両可動リングを相互の方向に押して固定リングの鈎状係合手段から可動リングの鈎状係合手段を外す。
先カムは第１係止部から第１反力を受けているので、可動リングは自動的に第１回開放状態となり、後カムが第２係止部に接触する位置までの第１開放状態に維持する。
可動リングを第１開放状態から開放方向に第２開放状態にもたらすには、可動リングを開放方向にさらに押す。この押圧力が第２反力を越えれば後カムが第２係止部を越えて第２開放状態に移動する。
【手続補正８】
【補正対象書類名】明細書
【補正対象項目名】００３８
【補正方法】変更
【補正の内容】
【００３８】
一方、リングを閉鎖したい場合には、第１開放状態から可動リングを固定リングに対して閉鎖するように可動リングを指で押すと、先カムが第１係止部に係合し、それによる第１反力に抗して可動リングを固定リングへ押しつけてそれらの鈎状係合手段を互いに係止させる。この閉鎖状態では第１反力が作用しているのでの係止力は強化されリングの先端部にがたつきが無く、またある程度までの外力では係止状態は維持される。
他方、第２開放状態からの第１開放状態への閉鎖では、可動リングを固定リングの方へ指で押すと、後カムが第２係止部に係合し、それによる反力（第２反力と同一であるとは限らない）に抗して更に押すと後カムが第２係止部を乗り越えて可動リングは第１開放状態になる。
以上、本発明を実施例を参照して説明したが、本発明の範囲内で種々の変更をなし得ることを理解されたい。
【手続補正９】
【補正対象書類名】明細書
【補正対象項目名】００３９
【補正方法】変更
【補正の内容】
【００３９】
【図１】本発明のバインダー綴具の第１実施例の斜視図である。
【図２】図１のバインダー綴具の、可動リングを固定リングと相互係止させた状態で裏側から見た平面図である。
【図３】図１のバインダー綴具の、可動リングを固定リングから開放させた状態で裏側から見た平面図である。
【図４】第１実施例の閉リング直前の状態を図２の線Ａ−Ａ方向から見た断面図である。
【図５】第１実施例の閉リング状態を図３の線Ａ’−Ａ’方向から見た断面図である。
【図６】第１実施例の停止開放状態を図２の線Ａ−Ａ方向から見た断面図である。
【図７】第１実施例の完全開放状態を図３の線Ａ’−Ａ’方向から見た断面図である。
【図８】第２実施例の閉リング直前の状態における図４と類似の断面図である。
【図９】第１実施例の閉リング状態における図５と類似の断面図である。
【図１０】第１実施例の停止開放状態における図４と類似の断面図である。
【図１１】第１実施例の完全開放状態における図５と類似の断面図である。
【図１２】第２支軸脱落防止機構及び第３支軸脱落防止機構を示す断面図である。
【図１３】本発明のバインダー綴具の第２実施例の斜視図である。
【図１４】図１３のバインダー綴具を裏側から見た斜視図である。
【図１５】図１３のバインダー綴具の底面図である。
【図１６】図１３のバインダー綴具の閉リング直前又は直後の状態での支軸の撓み状況を例示する図１５と同様の底面図である。
【図１７】図１３のバインダー綴具の閉リング直前又は直後の状態での、先カムを横断する平面で切断した断面図である。
【図１８】図１７の円部分の部分拡大図である。
【図１９】図１３のバインダー綴具の第１開放状態前後の状態での、先カムを横断する平面で切断した断面図である。
【図２０】図１９の円部分の部分拡大図である。
【図２１】図１３のバインダー綴具の完全開放状態での、先カムを横断する平面で切断した断面図である。
【図２２】図２１の円部分の部分拡大図である。
【図２３】本発明のバインダー綴具の第３支軸脱落防止突起を例示する部分破除した部分平面図である。
【図２４】従来のバインダー綴具の閉リング状態での部分断面側面図である。
【図２５】図２４のバインダー綴具の、完全解放状態での部分断面側面図である。
【手続補正１０】
【補正対象書類名】図面
【補正対象項目名】図８
【補正方法】変更
【補正の内容】
【図８】
2009067039.tif 000001